(57)【特許請求の範囲】
【請求項１】
信号を送受信する送受信部と、
少なくとも１つのカメラ部と、
データを保存する保存部と、
第１表示部及び第２表示部と、
前記カメラ部により入力された画像、前記送受信部により受信された画像、及び前記保存部に保存された画像のうち少なくとも１つが、第１表示部及び第２表示部に同時に表示されるように制御し、前記第１表示部及び第２表示部のそれぞれに表示された複数の画像をプレビュー機能により仮想合成した後、前記仮想合成された画像をキャプチャして前記保存部に保存する制御部と、
を含み、
前記制御部は、テレビ電話をするときには、前記第１表示部に、１つの前記カメラ部で撮影された第１ユーザの画像、前記送受信部により受信された第２ユーザの画像とともに、他の前記カメラ部で撮影された画像又は前記保存部に保存された画像を表示する一方、前記第２表示部に、メッセージ作成のための入力画面を表示するように制御することを特徴とする携帯端末機。
【請求項２】
前記第１表示部及び第２表示部は、
使用状態において同一面側に配置されることを特徴とする請求項１に記載の携帯端末機。
【請求項３】
前記制御部は、
前記カメラ部により入力された画像、前記送受信部により受信された画像、及び前記保存部に保存された画像のうち少なくとも１つが前記第１表示部に表示され、少なくとも１つの他の画像が前記第２表示部に表示されるように制御することを特徴とする請求項１に記載の携帯端末機。
【請求項４】
前記制御部は、
前記カメラ部により入力された画像、前記送受信部により受信された画像、又は前記保存部に保存された画像のうちいずれか１つが、前記第１表示部及び第２表示部にそれぞれ同時に表示されるように制御することを特徴とする請求項１に記載の携帯端末機。
【請求項５】
前記制御部は、
前記カメラ部により入力された画像、前記送受信部により受信された画像、又は前記保存部に保存された画像のうちいずれか１つが複数の画像に分割され、前記第１表示部及び第２表示部にそれぞれ表示されるように制御することを特徴とする請求項１に記載の携帯端末機。
【請求項６】
前記制御部は、
前記カメラ部により入力された画像、又は前記保存部に保存された画像が、前記送受信部により指定された送信先に送信されるように制御することを特徴とする請求項１〜５のいずれか１つに記載の携帯端末機。
【請求項７】
前記入力画面を表示する表示部がタッチスクリーンであることを特徴とする請求項１に記載の携帯端末機。
【請求項８】
前記制御部は、
前記カメラ部により入力された画像、前記送受信部により受信された画像、及び前記保存部に保存された画像のうち複数の画像が、前記第１表示部及び第２表示部のうちいずれか１つに同時に表示されるように制御することを特徴とする請求項１に記載の携帯端末機。
【請求項９】
前記第１ユーザの画像、前記送受信部により受信された第２ユーザの画像、及び撮影された画像又は前記保存部に保存された画像の表示が、画面分割により行われることを特徴とする請求項１に記載の携帯端末機。
【請求項１０】
前記画面分割が、ＰＩＰ方式で行われることを特徴とする請求項９に記載の携帯端末機。
【請求項１１】
前記画面分割により、画面が１つの主画面と少なくとも１つの副画面とに分割され、前記主画面に重要度や優先順位の高い画像が表示され、前記副画面に他の画像が表示されることを特徴とする請求項９に記載の携帯端末機。
【請求項１２】
前記主画面に表示される画像と前記副画面に表示される画像とが切り替えられて表示されることを特徴とする請求項１１に記載の携帯端末機。
【請求項１３】
前記制御部は、
前記カメラ部により入力された画像、前記保存部に保存された画像、及び前記送受信部により受信された画像のうち複数の画像が合成されて表示、保存又は送信されるように制御することを特徴とする請求項１に記載の携帯端末機。
【請求項１４】
前記制御部は、
前記カメラ部により入力された画像、及び前記送受信部により受信された画像の少なくとも１つをキャプチャして前記保存部に保存することを特徴とする請求項１に記載の携帯端末機。
【請求項１５】
前記制御部は、
前記カメラ部により入力された画像、及び前記送受信部により受信された画像のうち複数の画像をキャプチャした後、前記キャプチャされた画像を１つの画像に合成して保存することを特徴とする請求項１に記載の携帯端末機。
【請求項１６】
前記制御部は、
前記第１表示部及び第２表示部のうちいずれか１つに、前記送受信部により複数の相手から受信した画像を画面分割により表示する一方、他の表示部には、前記カメラ部により入力された画像を表示させることを特徴とする請求項１に記載の携帯端末機。
【請求項１７】
前記制御部は、
前記保存した画像が前記送受信部により指定された携帯端末機や特定サーバに送信されるように制御することを特徴とする請求項１４〜１６のいずれか１項に記載の携帯端末機。
【請求項１８】
前記第１表示部及び第２表示部のうち少なくとも１つがタッチスクリーンで構成されることを特徴とする請求項１に記載の携帯端末機。
【発明の詳細な説明】
【技術分野】
【０００１】
本発明は、携帯電話、ＰＣＳ（Personal Communication System）、ＰＤＡ（Personal Digital Assistant）、ＨＨＰ（Hand-Held Phone）などを含む携帯端末機に関し、特に、複数の表示部で画像を同時に表示できる携帯端末機及びこれを利用した表示方法に関する。
【背景技術】
【０００２】
最近、携帯端末機製造技術及び移動通信技術の発展とデジタルコンバージェンス傾向により、携帯端末機は、ＭＰ３プレーヤ、デジタルカメラ、テレビなどのデジタル装置と組み合わせて、本来の目的である音声通話機能の他にも、動画像、音楽、ゲーム、バンキング、画像撮影、放送などの多様な付加機能をユーザに提供する複合デジタル装置に進化している。
【０００３】
特に、最近商品化されている携帯端末機の大部分はカメラモジュールを備えてデジタルカメラ機能を提供している。なかでも、高級仕様の携帯端末機には約３００〜７００万画素の性能を有するカメラモジュールが備えられており、そのデジタルカメラ機能は一般的なデジタルカメラと比較しても劣らないくらいである。そして、携帯電話機には、視覚的な楽しみを追求する現代の趨勢に応じて、かかるデジタルカメラ機能を生かし、さらに多様な表示機能を提供することが求められている。
【発明の開示】
【発明が解決しようとする課題】
【０００４】
しかし、従来のカメラを備えた携帯端末機は、一般的なデジタルカメラと同じように、１つのカメラと１つの表示部のみを備え、１つのカメラで撮影された画像が１つの表示部で表示されるに過ぎなかった。このため、デジタルカメラと携帯端末機とのコンバージェンスにおいて、携帯電話機がデジタルカメラ以上の多様な表示機能を提供できるシナジー効果を十分に発揮できないという限界があった。
【０００５】
本発明は、このような従来技術の限界を克服するためになされたもので、本発明による携帯端末機は、改善された表示方法を達成できる。
本発明の目的は、複数の表示部で画像を同時に表示できる携帯端末機を提供することにある。
本発明の他の目的は、複数の表示部で画像を同時に表示できるようにする、携帯端末機における表示方法を提供することにある。
【課題を解決するための手段】
【０００６】
上記の目的を達成するために、本発明による携帯端末機は、信号を送受信するための送受信部と、少なくとも１つのカメラ部と、データを保存するための保存部と、第１表示部及び第２表示部と、前記カメラ部により入力された画像、前記送受信部により受信された画像、及び前記保存部に保存された画像の少なくとも１つが、前記第１表示部及び第２表示部に同時に表示されるように制御する制御部と、を含み、前記制御部は、前記カメラ部により入力された画像、前記送受信部により受信された画像及び前記保存部に保存された画像のうち、前記第１表示部及び第２表示部のそれぞれに表示された複数の画像をプレビュー機能により仮想合成した後、前記仮想合成された画像をキャプチャして前記保存部に保存する一方、テレビ電話をするときには、前記第１表示部には、１つの前記カメラ部で撮影された第１ユーザの画像、前記送受信部により受信された第２ユーザの画像とともに、他の前記カメラ部で撮影された画像又は前記保存部に保存された画像を表示し、前記第２表示部には、メッセージ作成のための入力画面を表示する。
なお、本発明において保存部とは、一時的な記憶手段ではなく、データがいつでも読み出し可能に記憶された記憶手段を示す。また、画像は、いわゆる写真画像データなどだけではなく、タッチパネルの入力画面を構成する画像なども含む。
【０００７】
上記の目的を達成するために、本発明による携帯端末機における表示方法は、複数の表示部及び少なくとも１つのカメラ部が備えられた携帯端末機において、複数の表示部に、カメラ部により入力された画像、受信された画像、及び保存された画像の少なくとも１つを同時に表示することを特徴とする。
なお、本発明において保存部とは、一時的な記憶手段ではなく、データがいつでも読み出し可能に記憶された記憶手段を示す。また、画像は、いわゆる写真画像データなどだけではなく、タッチパネルの入力画面を構成する画像なども含む。
【発明の効果】
【０００８】
本発明による携帯端末機及びこれを利用した表示方法は、少なくとも１つのカメラと複数の表示部を備えることにより、画像を多様な形態で表示できる。また、カメラを複数備えれば、複数のカメラにより入力された多様な画像を多様な形態で表示できるという効果がある。
また、１つの表示部に携帯端末機の機能を実現させるための入力画面を表示することにより、画像通信や画像撮影時にも携帯端末機の機能を利用した他の作業を自由に行えるという効果がある。
【０００９】
さらに、本発明による携帯端末機及びこれを利用した表示方法は、複数の画像を合成して新しい画像を生成できるという効果がある。
【発明を実施するための最良の形態】
【００１０】
以下、添付図面を参照して本発明の好ましい実施形態を説明する。
本発明の説明において、関連の公知機能又は構成に関する具体的な説明が本発明の要旨を不明確にすると判断された場合、その詳細な説明は省略するが、本発明の属する技術の分野における通常の知識を有する者であれば付加的な特徴も本発明の一部であることが理解できるであろう。
【００１１】
また、本発明は、少なくとも１つのカメラと複数の表示部を備えた携帯端末機であれば全てに適用できるが、説明の便宜のために、以下では２つのカメラ（dual camera）及び２つの表示部（dual display）を備えた携帯端末機を例に挙げて説明する。ここで、２つの表示部は、携帯電話機の使用状態において同一面側に配置される。すなわち、ユーザは、携帯電話機の使用状態において、携帯電話機を反転などさせなくても、２つの表示部を同時に見ることが可能である。なお、カメラが複数備えられていることで、本発明によって実現される多様な表示機能をより一層活用することができる。
【００１２】
図１は、本発明による携帯端末機の表示部の多様な実施形態を示す外形図である。なお、図１には２つの表示部の多様な構成のみを示し、カメラは示していない。図１の（Ａ）〜（Ｄ）に示すように、ストレートタイプ、折り畳みタイプ、スライドタイプ、フリップタイプなど、いずれのタイプの携帯端末機にも２つの表示部を備えることができる。
図２及び図３は、本発明による携帯端末機の実施形態を示す外形図であり、本発明はこれらに限定されるものではない。
【００１３】
図２に示すように、上部筐体２１０の背面、及び上部筐体２１０と下部筐体２２０とを連結するヒンジ部に２つのカメラ２５０、２６０をそれぞれ１つずつ備えることもでき、図３に示すように、上部筐体２１０と下部筐体２２０とを連結するヒンジ部に２つのカメラ２５０、２６０を共に備えることもできる。
図２は、上部筐体２１０と下部筐体２２０にそれぞれ１つの表示部２３０、２４０が備えられ、上部筐体２１０の表示部２３０の反対側（すなわち、カバー側）に固定型カメラ２５０が備えられ、ヒンジ部に回転型カメラ２６０が備えられた折り畳みタイプの携帯端末機を示し、図３は、上部筐体２１０と下部筐体２２０にそれぞれ１つの表示部２３０、２４０が備えられ、ヒンジ部に２つの回転型カメラ２５０、２６０が備えられた折り畳みタイプの携帯端末機を示す。
【００１４】
その他、図には示していないが、２つのカメラを上部筐体の上端及び下端にそれぞれ１つずつ備えることもできる。例えば、スライドタイプの携帯端末機において、上部筐体の背面の上端に固定型カメラを備え、上部筐体の下端に固定型カメラを備えることができる。また、前記上部筐体の上端に回転型カメラを備えることもできる。
図２及び３に示すように、本発明による携帯端末機には、上部筐体だけでなく下部筐体にも表示部が備えられ、２つのカメラが同じ方向又は異なる方向を撮影できるように備えられており、後述する本発明の実現を可能にする。
【００１５】
図４は、本発明の一実施形態による携帯端末機の構成を示すブロック図である。
図４に示すように、本発明の一実施形態による携帯端末機３００は、信号を送受信するための送受信部３１０と、静止画像及び動画像を撮影するための第１カメラ部３２０及び第２カメラ部３３０と、画像を表示するための第１表示部３４０及び第２表示部３５０と、データを保存するための保存部３６０と、前記の各ユニットを制御し、第１カメラ３２０と第２カメラ部３３０との少なくとも一方により入力（撮影）された画像、送受信部３１０により受信された画像、及び保存部３６０に既に保存された画像の少なくとも１つを、第１表示部３４０及び第２表示部３５０の少なくとも一方に表示するように制御する制御部３７０と、を含む。
【００１６】
制御部３７０は、第１カメラ部３２０により撮影された画像が第１表示部３４０に表示され、第２カメラ部３３０により撮影された画像が第２表示部３５０に表示されるように制御するか、又は第１カメラ部３２０及び第２カメラ部３３０により入力された画像の両方が第１表示部３４０又は第２表示部３５０のいずれか一方に表示されるように制御できる。
【００１７】
また、制御部３７０は、第１カメラ部３２０もしくは第２カメラ部３３０により撮影された画像又は送受信部３１０により受信された１つの画像が、第１表示部３４０及び第２表示部３５０に、それぞれ同時に表示（すなわち、同じ画像を２つの表示部にそれぞれ表示）されるように制御することもでき、分割して表示（すなわち、１つの画像を２つに分けて２つの表示部にそれぞれ１つずつ表示）されるように制御することもできる。
【００１８】
さらに、制御部３７０は、第１カメラ部３２０又は第２カメラ部３３０により撮影された画像が第１表示部３４０又は第２表示部３５０のいずれか一方に表示され、送受信部３１０により受信された画像が他方の表示部に表示されるように制御できる。
さらに、制御部３７０は、第１カメラ部３２０もしくは第２カメラ部３３０により撮影された画像又は保存部３６０に保存された画像が、送受信部３１０により指定された携帯端末機に転送されるように制御できる。
【００１９】
さらに、制御部３７０は、第１カメラ部３２０もしくは第２カメラ部３３０により撮影された画像、保存部３６０に保存された画像、又は送受信部３１０により受信された画像の少なくとも１つが、第１表示部３４０又は第２表示部３５０のいずれか一方に表示され、携帯端末機の機能を実現させるための入力画面が他方の表示部に表示されるように制御できる。
【００２０】
さらに、制御部３７０は、第１カメラ部３２０により撮影された画像、第２カメラ部３３０により撮影された画像、保存部３６０に保存された画像、及び送受信部３１０により受信された画像のうち複数の画像が、第１表示部３４０と第２表示部３５０の少なくとも一方に同時に表示されるように制御できる。
制御部３７０は、第１表示部３４０と第２表示部３５０の少なくとも一方に複数の画像を表示する場合、画面を分割して表示する。なお、画面はＰＩＰ（Picture In Picture）方式で分割できる。また、画面は１つの主画面と少なくとも１つの副画面とに分割できる。ここで、制御部３７０は、１つの主画面には予め設定された画像の重要度やユーザの設定によって相対的に重要な画像が表示され、副画面には相対的にあまり重要ではない画像が表示されるように制御できる。また、制御部３７０は、主画面の画像と副画面の画像とが切り替えられて表示されるように制御できる。すなわち、主画面の画像を副画面に表示し、副画面の画像を主画面に表示することができる。
【００２１】
また、制御部３７０は、第１カメラ部３２０により撮影された画像、第２カメラ部３３０により撮影された画像、保存部３６０に保存された画像、及び送受信部３１０により受信された画像のうち複数の画像が合成されて表示、保存、又は送信されるように制御できる。
例えば、テレビ電話をする場合、図５の（Ａ）に示すように、相手から受信された画像を第１表示部３４０に表示し、第１カメラ部３２０又は第２カメラ部３３０により撮影された自身の画像を第２表示部３５０に表示することもでき、図５の（Ｂ）に示すように、第１表示部の画面を分割して３人の相手から受信された画像を全て第１表示部３４０に表示し、第１カメラ部３２０又は第２カメラ部３３０により入力された自身の画像を第２表示部３５０に表示することもできる。
【００２２】
また、図６の（Ａ）及び（Ｂ）に示すように、相手から受信された画像を第１表示部３４０に表示し、第１カメラ部３２０により入力された画像と第２カメラ部３３０により入力された画像を、第２表示部３５０の画面を分割して同時に表示することができる。
また、図７の（Ａ）及び（Ｂ）に示すように、相手から受信した画像と、第１カメラ部３２０又は第２カメラ部３３０により入力された画像の一方の画像とを、第１表示部３４０の画面を分割して同時に表示し、第１カメラ部３２０又は第２カメラ部３３０により入力された画像の他方の画像を第２表示部３５０に表示することができる。
【００２３】
また、図８に示すように、相手から受信された画像、第１カメラ部３２０及び第２カメラ部３３０により入力された画像を第１表示部３４０に表示し、メッセージ作成などの携帯端末機の機能を実現させるための入力画面を第２表示部３５０に表示することができる。このような場合、デザインの向上や表示部のサイズの拡大のために、キーパッドを別途に備えず、第２表示部３５０をタッチスクリーンで構成してユーザからの入力を受けることができる。なお、第１表示部３４０をタッチスクリーンで構成することもでき、両方ともタッチスクリーンで構成することもできる。すなわち、第１表示部３４０と第２表示部３５０の少なくとも一方はタッチスクリーンで構成することができる。
【００２４】
また、図９の（Ａ）及び（Ｂ）に示すように、相手から受信された画像又は第１カメラ部３２０もしくは第２カメラ部３３０により入力された画像を、２つの画像に分割し、２つの表示部に分けて表示することができる。
また、図１０の（Ａ）及び（Ｂ）に示すように、相手から受信された画像又は第１カメラ部３２０もしくは第２カメラ部３３０により入力された画像のいずれか１つの画像を２つの表示部に分けて表示し、少なくとも１つの他の画像を、第１表示部３４０及び第２表示部３５０の少なくとも一方にさらに表示することができる。
【００２５】
また、図１１の（Ａ）及び（Ｂ）に示すように、相手から受信された画像又は第１カメラ部３２０もしくは第２カメラ部３３０により入力された画像のいずれか１つの画像を、ズーム機能により拡大又は縮小して第１表示部３４０又は第２表示部３５０の一方の表示部に表示し、少なくとも１つの他の画像を他方の表示部又は同表示部に表示することができる。
【００２６】
制御部３７０は、第１カメラ部３２０により入力された画像、第２カメラ部３３０により入力された画像、受信された画像の少なくとも１つの画像をキャプチャして静止画像又は動画像として保存部３６０に保存することもでき、複数の画像をキャプチャして１つの画像に合成して保存することもできる。
また、制御部３７０は、第１カメラ部３２０により入力された画像、第２カメラ部３３０により入力された画像、受信された画像、保存部３６０に既に保存された画像のうち複数の画像をプレビュー機能によりまず仮想合成した後、合成された画像をキャプチャして保存部３６０に保存することもできる。
【００２７】
例えば、図１２の（Ａ）及び（Ｂ）に示すように、第１カメラ部３２０により入力された画像と第２カメラ部３３０により入力された画像を同時又は時間間隔をおいてキャプチャして、１つの画像に合成及び保存することができる。
また、図１３の（Ａ）及び（Ｂ）に示すように、相手から受信された画像、第１カメラ部３２０又は第２カメラ部３３０により入力された画像のうち複数の画像をプレビュー機能により仮想合成した後、仮想合成された画像をキャプチャして保存することができる。
【００２８】
制御部３７０は、前述したように、キャプチャ、キャプチャした画像の合成、又は合成した画像のキャプチャなどを行って保存した画像を、送受信部３１０を介してユーザにより指定された相手（他の加入者の携帯端末機）又は特定サーバに送信できる。前記特定サーバは、通信事業者のサーバ、又は特定インターネットサービスを提供するプロバイダの商用サーバであり得る。
【００２９】
また、前述したように、第１表示部３４０及び第２表示部３５０の少なくとも一方は、タッチスクリーンで構成されて、ユーザからの入力を受ける機能を実現することができる。
携帯端末機３００は、前述した構成の他にも、キーパッド、タッチパッド、マイクロホンなどの入力手段を含むことができ、キーボードなどの外部入力手段に接続されて信号を入力するための入力端子を含むことができる。
【００３０】
また、携帯端末機３００は、スピーカなどの出力手段を含むことができ、テレビやモニタなどの外部ディスプレイ装置に接続されて画像信号及び音声信号を出力するための出力端子を含むことができる。
さらに、携帯端末機３００は、メモリカードなどの外部記憶媒体を挿入してその外部記憶媒体の使用を可能にする記憶媒体挿入部、又は放送受信モジュール、ＭＰ３モジュール、インターネットバンキングモジュール、近距離無線通信モジュールなどの付加機能を有するユニットを含むことができる。
【００３１】
デジタル機器のコンバージェンス傾向によって携帯端末機の変形が非常に多様であり、全て列挙することはできないが、本発明による携帯端末機３００が前述したユニットと同等なレベルのユニットをさらに含むことができることは、本技術の分野における通常の知識を有する者であれば容易に理解できるであろう。
図１４〜図１６は、本発明による携帯端末機における表示方法の実現過程の実施形態を示すフローチャートである。
【００３２】
図１４に示すように、本発明による携帯端末機における表示方法は、複数の表示部及び少なくとも１つのカメラ部が備えられた携帯端末機において、第１表示部３４０に少なくとも１つの画像を表示する段階（Ｓ１３１０）と、第２表示部３５０に少なくとも１つの画像を表示する段階（Ｓ１３２０）とを含む。
すなわち、図５〜図１１に示すように、第１表示部３４０に、第１カメラ部３２０により入力された画像、第２カメラ部３３０により入力された画像、相手から受信された画像、保存された画像の少なくとも１つを表示し、第２表示部３５０に、第１カメラ部３２０により入力された画像、第２カメラ部３３０により入力された画像、相手から受信された画像、保存された画像の少なくとも１つを表示する。第１表示部３４０と第２表示部３５０の少なくとも一方に携帯端末機の機能を行うための画面を表示することもできる。
【００３３】
第１表示部３４０と第２表示部３５０の少なくとも一方に２つ以上の画像を表示する場合、ＰＩＰ方式で画面を分割して表示する。
また、本発明による携帯端末機における表示方法は、図１５に示すように、第１表示部３４０と第２表示部３５０に表示される少なくとも１つの画像をキャプチャして保存する段階（Ｓ１４１０）をさらに含むことができる。キャプチャされた２つ以上の画像は１つに合成して保存することができる。
【００３４】
また、本発明による携帯端末機における表示方法は、図１６に示すように、第１表示部３４０と第２表示部３５０に表示される複数の画像を合成及びキャプチャして保存する段階（Ｓ１５１０）をさらに含むことができる。このとき、プレビュー機能により画面上でのみ行われる仮想合成を行った後、前記仮想合成された画像をキャプチャすることができる。
【００３５】
また、図には示していないが、前述したように、前記保存された画像を他の加入者の携帯端末機又は特定サーバに送信する段階をさらに含むこともできる。
以上、本発明は、図面に示す実施形態を参照して説明したが、これは例示にすぎず、本発明の属する技術の分野における通常の知識を有する者であれば、これから多様な変形及び他の実施形態が可能であることは自明である。従って、本発明の権利範囲は、添付した特許請求の範囲の技術的思想により決定されるべきである。
【図面の簡単な説明】
【００３６】
【図１】本発明による携帯端末機の表示部の多様な実施形態を示す外形図であって、（Ａ）はストレートタイプ、（Ｂ）は折り畳みタイプ、（Ｃ）はスライドタイプ、（Ｄ）はフリップタイプである。
【図２】本発明による携帯端末機の実施形態を示す外形図である。
【図３】本発明による携帯端末機の実施形態を示す外形図である。
【図４】本発明の一実施形態による携帯端末機の構成を示すブロック図である。
【図５】本発明の一実施形態による携帯端末機における表示方法の例であって、（Ａ）は第１表示部及び第２表示部にそれぞれ画像を表示した例、（Ｂ）は第１表示部及び第２表示部にそれぞれ画像を表示し、さらに第１表示部で画面分割を行い、複数の画像を表示した例
【図６】本発明の一実施形態による携帯端末機における表示方法の例であって、（Ａ）及び（Ｂ）は第１表示部及び第２表示部にそれぞれ画像を表示し、さらに第２表示部で画面分割を行い、複数の画像を表示した例
【図７】本発明の一実施形態による携帯端末機における表示方法の例であって、（Ａ）及び（Ｂ）は第１表示部及び第２表示部にそれぞれ画像を表示し、さらに第１表示部で画面分割を行い、複数の画像を表示した例
【図８】本発明の一実施形態による携帯端末機における表示方法の例であって、第１表示部で画面分割して複数の画像を表示し、さらに第２表示部をタッチパネルにして入力画面を表示した例
【図９】本発明の一実施形態による携帯端末機における表示方法の例であって、（Ａ）及び（Ｂ）は１つの画像を２つに分割し、第１表示部及び第２表示部の両方に表示した例
【図１０】本発明の一実施形態による携帯端末機における表示方法の例であって、（Ａ）及び（Ｂ）は１つの画像を２つに分割し、第１表示部及び第２表示部の両方に表示しつつ、さらに画面分割を行い、複数の画像を同時に表示した例
【図１１】本発明の一実施形態による携帯端末機における表示方法の例であって、（Ａ）は第１表示部及び第２表示部にそれぞれ画像を表示しつつ、第１表示部に拡大された画像を表示した例、（Ｂ）は第１表示部及び第２表示部にそれぞれ画像を表示しつつ、第２表示部で画面分割して、拡大された画像及び他の画像を同時に表示した例
【図１２】本発明の一実施形態による携帯端末機における表示方法の例であって、（Ａ）は第１表示部及び第２表示部にキャプチャ対象となる画像をそれぞれ表示した例、（Ｂ）はキャプチャされた画像を合成するときに表示される画面の例
【図１３】本発明の一実施形態による携帯端末機における表示方法の例であって、（Ａ）はプレビュー機能を用いて画像を仮想合成するときに表示される画面の例、（Ｂ）は仮想合成された画像を合成及び保存するときに表示される画面の例
【図１４】本発明による携帯端末機における表示方法の実現過程の実施形態を示すフローチャートである。
【図１５】本発明による携帯端末機における表示方法の実現過程の実施形態を示すフローチャートである。
【図１６】本発明による携帯端末機における表示方法の実現過程の実施形態を示すフローチャートである。
【符号の説明】
【００３７】
３１０  送受信部
３２０  第１カメラ部
３３０  第２カメラ部
３４０  第１表示部
３５０  第２表示部
３６０  保存部
３７０  制御部
【図１】
0004820246.tif 000002
【図２】
0004820246.tif 000003
【図３】
0004820246.tif 000004
【図４】
0004820246.tif 000005
【図５】
0004820246.tif 000006
【図６】
0004820246.tif 000007
【図７】
0004820246.tif 000008
【図８】
0004820246.tif 000009
【図９】
0004820246.tif 000010
【図１０】
0004820246.tif 000011
【図１１】
0004820246.tif 000012
【図１２】
0004820246.tif 000013
【図１３】
0004820246.tif 000014
【図１４】
0004820246.tif 000015
【図１５】
0004820246.tif 000016
【図１６】
0004820246.tif 000017